(57)【要約】【課題】高い意匠性を有する計器用発光指針を提供すること。【解決手段】計測装置（１０）は、光源（１３）が設けられた基板（１２）と、基板（１２）に設けられたモータ（１４）と、モータ（１４）のモータ軸（１４ａ）の先端に設けられ回転可能な指針（２０）と、を有する。指針（２０）は、モータ軸（１４ａ）の先端に固定されていると共に光源（１３）からの光を導光可能な指針本体（４０）と、この指針本体（４０）に被せられた蓋体（５０）と、を含む。蓋体（５０）は、指針中心部（４１）の上部において開口した中心部開口部（５１）を有する。中心部開口部（５１）は、装飾部材（６０）によって塞がれている。装飾部材（６０）は、中心に位置し光を遮断する上部遮光部（６２）と、上部遮光部（６２）を囲うと共に中心部開口部（５１）に沿って形成され光が透過する上部透光部（６１）と、からなる。【選択図】図３
2018105672.tif 000002
【特許請求の範囲】
【請求項１】
光源からの光を受けて発光可能な指針本体と、この指針本体の回転中心部を覆う蓋体と、を有する計器用発光指針において、
前記蓋体は、前記指針本体の回転中心部の真上に位置し前記指針本体の回転中心部に対応して開口形成された中心部開口部を有し、
前記中心部開口部は、装飾部材によって塞がれ、
前記装飾部材は、中心に位置し前記光を遮断する上部遮光部と、この上部遮光部を囲うと共に前記中心部開口部に沿って形成され前記光が透過する上部透光部と、からなることを特徴とする計器用発光指針。
【請求項２】
光源からの光を受けて発光可能な指針本体と、この指針本体の回転中心部を覆う蓋体と、を有する計器用発光指針において、
前記蓋体は、前記指針本体の回転中心部の側方を囲っている側部蓋体中心部を含み、
前記側部蓋体中心部は、前記光を透過する側部透光部を含むことを特徴とする計器用発光指針。
【請求項３】
前記指針本体は、前記側部透光部に向かって突出し前記側部透光部に光を導く突出導光部を有していることを特徴とする請求項２記載の計器用発光指針。
【請求項４】
前記上部透光部の上面は、前記上部遮光部の上面よりも低く設定され、
前記上部遮光部の上面は、前記蓋体の上面の高さと略同じ高さとされていることを特徴とする請求項１記載の計器用発光指針。
【請求項５】
前記蓋体は、前記上部透光部が嵌め込まれるよう凹状に形成された蓋体凹部を有し、
前記上部透光部は、前記上部遮光部が嵌め込まれるよう凹状に形成された透光部凹部を有していることを特徴とする請求項１記載の計器用発光指針。
【発明の詳細な説明】
【技術分野】
【０００１】
本発明は、計測装置に用いられ、光源からの光によって光る計器用発光指針に関する。
【背景技術】
【０００２】
多くの車両は、乗員の前方にスピードメータやタコメータ等の計測装置を有している。このような計測装置の一部には、光源からの光によって光る計器用発光指針を有するものが存在する。計器用発光指針を搭載した計測装置に関する従来技術として、特許文献１に開示される技術がある。
【０００３】
特許文献１に示されるような、計測装置は、光源が設けられた基板と、この基板に設けられたモータと、このモータのモータ軸の先端に設けられ回転可能な計器用発光指針と、を有する。計器用発光指針は、モータ軸の先端に固定されていると共に光源からの光を導光可能な指針本体と、この指針本体に被せられた蓋体と、を含む。
【０００４】
指針本体は、光源からの光によって光る。光らせることにより、計器用発光指針、及び、計測装置の意匠性を高めることができる。計器用発光指針は、人が視認するものであるから、意匠性の高いものであることが望ましい。
【先行技術文献】
【特許文献】
【０００５】
【特許文献１】特開２００２−１０７１８４号公報
【発明の概要】
【発明が解決しようとする課題】
【０００６】
本発明は、高い意匠性を有する計器用発光指針の提供を課題とする。
【課題を解決するための手段】
【０００７】
請求項１による発明によれば、光源からの光を受けて発光可能な指針本体と、この指針本体の回転中心部を覆う蓋体と、を有する計器用発光指針において、
前記蓋体は、前記指針本体の回転中心部の真上に位置し前記指針本体の回転中心部に対応して開口形成された中心部開口部を有し、
前記中心部開口部は、装飾部材によって塞がれ、
前記装飾部材は、中心に位置し前記光を遮断する上部遮光部と、この上部遮光部を囲うと共に前記中心部開口部に沿って形成され前記光が透過する上部透光部と、からなることを特徴とする計器用発光指針が提供される。
【０００８】
請求項２による発明によれば、光源からの光を受けて発光可能な指針本体と、この指針本体の回転中心部を覆う蓋体と、を有する計器用発光指針において、
前記蓋体は、前記指針本体の回転中心部の側方を囲っている側部蓋体中心部を含み、
前記側部蓋体中心部は、前記光を透過する側部透光部を含むことを特徴とする計器用発光指針が提供される。
【０００９】
請求項３に記載のごとく、好ましくは、前記指針本体は、前記側部透光部に向かって突出し前記側部透光部に光を導く突出導光部を有している。
【００１０】
請求項４に記載のごとく、好ましくは、前記上部透光部の上面は、前記上部遮光部の上面よりも低く設定され、
前記上部遮光部の上面は、前記蓋体の上面の高さと略同じ高さとされている。
【００１１】
請求項５に記載のごとく、好ましくは、前記蓋体は、前記上部透光部が嵌め込まれるよう凹状に形成された蓋体凹部を有し、
前記上部透光部は、前記上部遮光部が嵌め込まれるよう凹状に形成された透光部凹部を有している。
【発明の効果】
【００１２】
請求項１に係る発明では、中心部開口部は、装飾部材によって塞がれ、装飾部材は、中心に位置し光を遮断する上部遮光部と、この上部遮光部を囲うと共に中心部開口部に沿って形成され光が透過する上部透光部と、からなる。指針の回転中心に位置する上部透光部は、透光性を有する。このため、指針の回転中心付近を光らせることができる。指針延出部と併せて上部透光部を光らせることにより、指針のより広い部分を光らせることができ、意匠性を高めることができる。
【００１３】
請求項２に係る発明では、側部蓋体中心部は、光を透過する側部透光部を含む。光は、側部透光部から径方向に広がる。指針の中心を径方向に向かって光らせることができ、意匠性を高めることができる。
【００１４】
請求項３に係る発明では、指針本体は、側部透光部に向かって突出し側部透光部に光を導く突出導光部を有している。指針本体によって側部透光部まで光を導くため、部品点数を増加させることなく側部透光部をより明るく光らせることができる。
【００１５】
請求項４に係る発明では、上部透光部の上面は、上部遮光部の上面よりも低く設定され、上部遮光部の上面は、蓋体の上面の高さと略同じ高さとされている。即ち、上部透光部は、上部遮光部の上面及び蓋体の上面に対して一段低く設定されている。これにより、３次元的な装飾が可能となり、より意匠性が高まる。
【００１６】
請求項５に係る発明では、蓋体は、上部透光部が嵌め込まれるよう凹状に形成された蓋体凹部を有し、上部透光部は、上部遮光部が嵌め込まれるよう凹状に形成された透光部凹部を有している。上部遮光部を透光部凹部に嵌め込み、上部透光部を蓋体凹部に嵌め込むことにより、装飾部材を容易に組み立てることができると共に、正確な位置に位置決めすることができる。
【図面の簡単な説明】
【００１７】
【図１】本発明の実施例による計器用発光指針が搭載された計測装置の正面図である。
【図２】図１の２部拡大図である。
【図３】図２の３−３線断面図である。
【図４】図２に示された計器用発光指針の分解斜視図である。
【図５】図２の５−５線断面図である。
【発明を実施するための形態】
【００１８】
本発明の実施の形態を添付図に基づいて以下に説明する。なお、説明中、上、下とは、図面を基準として上、下をいう。
＜実施例＞
【００１９】
図１を参照する。計測装置１０は、例えば、車両のスピードメータである。
【００２０】
図２及び図３を参照する。計測装置１０は、本体部１１と、この本体部１１に支持された基板１２と、この基板１２の上面に実装され、後述する指針本体に光を供給するＬＥＤからなる光源１３と、基板１２の下面に固定されたモータ１４と、このモータ１４のモータ軸１４ａの先端に設けられ回転可能な計器用発光指針２０（以下、単に「指針２０」とする。）と、この指針２０の下方に位置し車速を示す数字１６ａ（図１参照。文字１６ａとも言える。）が記載された文字板１６と、を有している。
【００２１】
図３及び図４を参照する。計器用発光指針である指針２０は、モータ軸１４ａの先端に固定されていた指針ベース部３０と、この指針ベース部３０の上面に固定され光源１３からの光を受けて発光可能な指針本体４０と、この指針本体４０に被せられた蓋体５０と、この蓋体５０に固定された装飾部材６０と、からなる。
【００２２】
指針ベース部３０は、透明の樹脂製の部品であり、光源１３からの光を導光可能である。指針ベース部３０は、モータ軸１４ａが差し込まれている筒状の筒部３１と、この筒部３１の上端に形成され指針本体４０が載せられたドーナツ板状の円盤部３２と、からなる。
【００２３】
筒部３１の中心に形成されている穴は、円盤部３２の中心に形成されている穴に連続している。穴の下端は、モータ軸１４ａが差し込まれ、穴の上端は、指針本体４０が差し込まれている。
【００２４】
指針本体４０は、透明の樹脂製の部品であり、光源１３からの光を導光可能である。指針本体４０は、モータ軸１４ａの上方に位置する指針中心部４１（回転中心部４１）と、この指針中心部４１から径方向に延びた指針延出部４２と、指針中心部４１から蓋体５０の内側面に向かって突出する突出導光部４３と、からなる。指針中心部４１と、指針延出部４２と、突出導光部４３と、は、一体成形されている。
【００２５】
蓋体５０は、樹脂製の部品であり、指針本体４０の指針中心部４１を覆っている。蓋体５０は、指針本体４０の指針中心部４１の真上に位置し当該指針中心部４１に対応して開口形成された円形の貫通孔からなる中心部開口部５１と、この中心部開口部５１の近傍において上方に凹まされ装飾部材６０が嵌め込まれた蓋体凹部５２と、指針延出部４２の上部において開口した延出部開口部５３と、指針中心部４１の側方を囲っている側部蓋体中心部５４と、指針延出部４２の側方を囲っている側部蓋体延出部５５と、を有している。
【００２６】
側部蓋体中心部５４は、下部が白色で光を透過する側部透光部５４ａとされ、上部が黒色で光を遮断する側部遮光部５４ｂとされている。なお、側部透光部５４ａは、透明であってもよい。
【００２７】
蓋体５０の側部透光部５４ａを除く部分は、黒色の樹脂によって形成されている。蓋体５０は、白色樹脂によって構成される側部透光部５４ａと共に二色形成により形成されている。
【００２８】
装飾部材６０は、指針本体４０の上部に位置した透明樹脂製の上部透光部６１と、この上部透光部６１の中央に重ねられた黒色樹脂製の上部遮光部６２と、からなる。換言すれば、装飾部材６０は、中心に位置し光を遮断する上部遮光部６２と、この上部遮光部６２を囲うと共に中心部開口部５１に沿って形成され光が透過する上部透光部６１と、からなる。
【００２９】
上部透光部６１は、円盤状の部品であり、中央部が下方に向かって凹まされた透光部凹部６１ａとされている。上部遮光部６２は、透光部凹部６１ａに嵌め込まれている。
【００３０】
図３及び図５を参照する。例えば、車両のイグニッションスイッチをオンにすると、光源１３が点灯する。光源１３の発した光は、指針ベース部３０、指針中心部４１によってそれぞれ導かれる。導かれた光の一部は、指針延出部４２に導かれる。指針延出部４２に導かれた光は、延出部開口部５３から乗員に視認される。また、指針中心部４１から装飾部材６０に導かれた光は、中心部開口部５１から上部透光部６１を介して乗員に視認される。また、指針中心部４１から突出導光部４３に導かれた光は、側部透光部５４ａを光らせる。側部透光部５４ａは、白色樹脂であるため、他の部位に比べてぼんやりと光る。
【００３１】
以上に説明した本発明は、以下の効果を奏する。
【００３２】
中心部開口部５１は、装飾部材６０によって塞がれ、装飾部材６０は、中心に位置し光を遮断する上部遮光部６２と、この上部遮光部６２を囲うと共に中心部開口部５１に沿って形成され光が透過する上部透光部６１と、からなる。指針２０の回転中心に位置する上部透光部６１は、透光性を有する。このため、指針２０の回転中心付近を光らせることができる。指針延出部４２と併せて上部透光部６１（上部透光部６１の環状輪郭部分である上面６１ｂ）を光らせることにより、指針２０のより広い部分を光らせることができ、意匠性を高めることができる。
【００３３】
さらに、側部蓋体中心部５４は、光を透過する側部透光部５４ａを有する。光は、側部透光部５４ａから径方向に広がる。指針２０の回転中心を軸方向（モータ軸１４ａの軸方向）及び径方向の両方向に向かって光らせることができ、さらに意匠性を高めることができる。
【００３４】
さらに、指針本体４０は、側部透光部５４ａに向かって突出し側部透光部５４ａに光を導く突出導光部４３を有している。指針本体４０によって側部透光部５４ａまで光を導くため、部品点数を増加させることなく側部透光部５４ａをより明るく光らせることができる。
【００３５】
さらに、上部透光部６１の上面６１ｂは、上部遮光部６２の上面６２ａよりも低く設定され、上部遮光部６２の上面６２ａは、蓋体５０の上面の高さと略同じ高さとされている。即ち、上部透光部６１は、上部遮光部６２の上面６２ａ及び蓋体５０の上面５０ａに対して一段低く設定されている。これにより、３次元的な装飾が可能となり、より意匠性が高まる。
【００３６】
さらに、蓋体５０は、上部透光部６１が嵌め込まれるよう凹状に形成された蓋体凹部５２を有し、上部透光部６１は、上部遮光部６２が嵌め込まれるよう凹状に形成された透光部凹部６１ａを有している。上部遮光部６２を透光部凹部６１ａに嵌め込み、上部透光部６１を蓋体凹部５２に嵌め込むことにより、装飾部材６０を容易に組み立てることができると共に、正確な位置に位置決めすることができる。
【００３７】
尚、本発明による計測装置は、車両に搭載された例を基に説明したが、車両以外の乗り物であっても適用可能である。さらには、乗り物以外の建機や装置に搭載されても良く、これらの形式のものに限られるものではない。上記の実施形態では、上部透光部６１の上面は上部遮光部６２の上面よりも低くしているが、本発明はこれに限定されるものではなく、例えば上部透光部６１の上面は、上部遮光部６２の上面と同一面であってもよいし、上部遮光部６２の上面から飛び出ていてもよい。
【００３８】
即ち、本発明の作用及び効果を奏する限りにおいて、本発明は、実施例に限定されるものではない。
【産業上の利用可能性】
【００３９】
本発明の計測装置は、車両のスピードメータに好適である。
【符号の説明】
【００４０】
１０…計測装置
１２…基板
１３…光源
１４…モータ
１４ａ…モータ軸
２０…指針（計器用発光指針）
３０…指針ベース部
４０…指針本体
４１…指針中心部（回転中心部）
４２…指針延出部
４３…突出導光部
５０…蓋体
５１…中心部開口部
５２…蓋体凹部
５３…延出部開口部
５４…側部蓋体中心部
５４ａ…側部透光部
６０…装飾部材
６１…上部透光部
６１ａ…透光部凹部
６２…上部遮光部
【図１】
2018105672.tif 000003
【図２】
2018105672.tif 000004
【図３】
2018105672.tif 000005
【図４】
2018105672.tif 000006
【図５】
2018105672.tif 000007